(57)【特許請求の範囲】
【請求項１】
ベニヤレースによって原木から削成する厚薄二種のベニヤ単板の内で、厚ベニヤ単板の後に削成される薄ベニヤ単板については、コンベヤを介してベニヤレースに直結した定尺切断装置を用いて、所定長さ毎に順次定尺切断することにより、薄定尺ベニヤ単板を順次形成する単板切削切断処理工程に於て、剥き厚を厚剥きから薄剥きへ連続的に切替えるに際し、適宜の薄単板全長予測手段を用いて、剥き厚を切替えて以降、各原木を規定の剥芯径まで薄剥きした場合に削成し得る薄ベニヤ単板の全長を予測的に算出すると共に、薄ベニヤ単板に付随する不良単板と薄ベニヤ単板との境界位置からの距離が、前記予測的に算出した薄ベニヤ単板の全長の範囲内であって、且つ、薄定尺ベニヤ単板の定尺長さの整数倍となる特定箇所を算定し、厚剥きから薄剥きへの切替えが前記特定箇所に於て終わるように、剥き厚の切替え開始位置を定めて、剥き厚の切替えを開始することを特徴とする単板切削切断処理工程に於けるベニヤ単板の剥き厚の切替え方法。
【請求項２】
ベニヤレースの前位に原木の芯出し装置を備え、該原木の芯出し装置に於ける各原木の外周形状の検知信号に基づいて、ベニヤレースに於ける各原木の回転中心軸を定めると共に、各原木から削成し得る薄ベニヤ単板の全長を予測的に算出して成る請求項１記載の単板切削切断処理工程に於けるベニヤ単板の剥き厚の切替え方法。
【請求項３】
ベニヤレースに於て現に切削する原木が、薄ベニヤ単板の削成に適する状態に至ったか否かを、適宜の原木判別手段によって判別すると共に、薄ベニヤ単板の削成に適する状態に至った時点に於ける、ベニヤレースの切削刃の現存位置に基づいて、残余の原木部分から削成し得る薄ベニヤ単板の全長を予測的に算出して成る請求項１記載の単板切削切断処理工程に於けるベニヤ単板の剥き厚の切替え方法。
【請求項４】
ベニヤレースに於て現に切削する原木が、薄ベニヤ単板の削成に適する状態に至ったか否かを、ベニヤレースの運転者の目視によって判別して成る請求項３記載の単板切削切断処理工程に於けるベニヤ単板の剥き厚の切替え方法。
【請求項５】
薄ベニヤ単板の全長を予測的に算出するに際し、予め切削した近似的な原木の性状を参照することにより、予め規定した補正値を加減して、現に切削する原木から削成し得る薄ベニヤ単板の全長を予測的に算出して成る請求項１又は請求項２又は請求項３又は請求項４記載の単板切削切断処理工程に於けるベニヤ単板の剥き厚の切替え方法。
【発明の詳細な説明】
【技術分野】
【０００１】
本発明は、単板切削切断処理工程に於けるベニヤ単板の剥き厚の切替え方法の改良に関するものである。
【背景技術】
【０００２】
従来、例えば図１に例示する如く、スピンドル１ａ、切削刃１ｂ等を有するベニヤレース１によって原木５からベニヤ単板（以下、単に単板と称す）削成する場合に、原木５の不定形な外周部分からは、合板の内層等に用いる厚単板６Ａを、また原木５の内接円柱状の部分からは、例えば図２に例示する如く、合板の表層等に用いる薄単板６Ｂを、夫々選択的に剥き分けることが行われているが、斯様に単板の剥き厚を切替えるに際し、厚単板の切削を一旦終了して、原木を円柱状に成形してから、改めて薄単板の切削を再開する切替え方法によると、非能率的であるのみならず、例えば図８に例示する如く、厚単板６Ａの後端側と薄単板６Ｂの前端側との夫々に付随するように、展開した際の断面が三角状となる長大な不良単板６ｅ・６ｆが生成されるので、資源の浪費となることから、近年では、例えば特許文献１に開示される如く、単板の剥き厚を連続的に切替えることによって、不良単板の発生量を少なくする切替え方法が普及しつつある。
【０００３】
そして、特許文献１にも開示されているが、斯様に厚薄二種の単板を剥き分ける場合には、厚単板と薄単板へ個別に後処理を施すのが通例であって、例えば図１・図２に例示する如く、厚単板６Ａについては（必要に応じて、ベニヤレースに於てケビキにより繊維方向の幅をニ分割してから）、連結コンベヤ３、移送コンベヤ４ａ等を介して、移送コンベヤ４ａの後位に配設した適数基の端尺切断処理装置（図示省略）に移送し、各厚単板６Ａの前端側、中間部、後端側等に存在する不要部分を切除すると共に（必要に応じて、有効部分の累積長さが所望の定尺長さに達する毎に定尺切断してから）、所望の堆積場所に順次堆積する処理を、また薄単板６Ｂについては、連結コンベヤ３の後位に、アンビルロール２ａ、回転式切断刃２ｂ等を有する定尺切断装置２を配設し、該定尺切断装置２を用いて、所定長さｈ毎に順次定尺切断することにより、薄定尺単板６ｂを順次形成すると共に、揺動コンベヤ４ｂ等を介して、厚単板６Ａとは別異の堆積場所に移送し、順次堆積する処理を施す例が比較的多い。図中、７は、回転センサーであって、スピンドル１ａ（原木５）の回転を検出して、制御機構（図示省略）に回転信号を発信する。８は、位置センサーであって、切削刃１ｂの現存位置を検出して、制御機構（図示省略）に現存位置信号を発信する。
【特許文献１】特許２５１１７４４号公報
【発明の開示】
【発明が解決しようとする課題】
【０００４】
ところで、斯様に単板の剥き厚を切替えるに際し、従前は、ベニヤレースの運転者が原木を目視して薄単板の削成に適する状態に至ったか否かを判別し、削成に適する状態に至れば、直ちに切替えを開始する切替え方法を採っていたことから、該原木を規定の剥芯径まで薄剥きした場合に削成される薄単板の全長は、常に不定であって、例えば図７に例示する如く、不特定の切替え開始位置Ｙに於て剥き厚を厚剥きから薄剥きへ連続的に切替えた場合に、常法通り、厚単板６Ａに後続する展開した際の断面が截端楔状の不良単板６ａと薄単板６Ｂとの境界位置Ｕを、定尺切断処理の開始位置として、不定の全長Ｗから成る薄単板６Ｂを所定長さｈ毎に順次定尺切断し、薄定尺単板６ｂを順次形成する処理形態を採った場合には、原木一本毎の薄単板６Ｂの後端側に、所定長さｈに満たない不定長さαの端尺薄単板６ｄが生成される結果、多量の薄定尺単板６ｂの乾燥処理以外に、少量の端尺薄単板６ｄを対象とする乾燥処理と、該端尺薄単板６ｄを所定長さの接合薄定尺単板に成形し直す接合処理とが必要となるので、総じて後処理が煩雑化する不具合があり、而も端尺薄単板の長さαが比較的短い場合には、乾燥装置への挿入や乾燥装置内での移送等に適さず、乾燥処理自体が困難化するので、止むを得ず端尺薄単板を廃棄する例も少なからずあり、資源の浪費を招いていた。
因に、前記課題の発生状況を数式化して表すと、Ｗ＝ｈ×ｎ＋αとなる（但し、ｎは正の整数であり、αは変数である）。尚、図９からも明らかな如く、切削の終了に伴って、薄単板６Ｂの後位に付随する展開した際の断面が三角状となる不良単板６ｃの部分は、所望の厚さを有していないので、当然ながら、薄単板６Ｂの全長Ｗには含まれておらず、いずれ、薄単板６Ｂと不良単板６ｃとの境界位置ｋに於て、切断分離することが必要である。
【課題を解決するための手段】
【０００５】
本発明は、前記課題、つまり、端尺薄単板の発生を抑止すべく開発したものであって、具体的には、述上の如き単板切削切断処理工程に於て、剥き厚を厚剥きから薄剥きへ連続的に切替えるに際し、適宜の薄単板全長予測手段を用いて、剥き厚を切替えて以降、該原木を規定の剥芯径まで薄剥きした場合に削成し得る薄単板の全長を予測的に算出すると共に、薄単板に付随する不良単板と薄単板との境界位置からの距離が、前記予測的に算出した薄単板の全長の範囲内であって、且つ、薄定尺単板の定尺長さの整数倍となる特定箇所を算定し、厚剥きから薄剥きへの切替えが前記特定箇所に於て終わるように、剥き厚の切替え開始位置を定めて、剥き厚の切替えを開始することを特徴とする単板切削切断処理工程に於ける単板の剥き厚の切替え方法（請求項１）と、ベニヤレースの前位に原木の芯出し装置を備え、該原木の芯出し装置に於ける各原木の外周形状の検知信号に基づいて、ベニヤレースに於ける各原木の回転中心軸を定めると共に、各原木から削成し得る薄単板の全長を予測的に算出して成る請求項１記載の単板切削切断処理工程に於ける単板の剥き厚の切替え方法（請求項２）と、ベニヤレースに於て現に切削する原木が、薄単板の削成に適する状態に至ったか否かを、適宜の原木判別手段によって判別すると共に、薄単板の削成に適する状態に至った時点に於ける、ベニヤレースの切削刃の現存位置に基づいて、残余の原木部分から削成し得る薄単板の全長を予測的に算出して成る請求項１記載の単板切削切断処理工程に於ける単板の剥き厚の切替え方法（請求項３）と、ベニヤレースに於て現に切削する原木が、薄単板の削成に適する状態に至ったか否かを、ベニヤレースの運転者の目視によって判別して成る請求項３記載の単板切削切断処理工程に於ける単板の剥き厚の切替え方法（請求項４）と、薄単板の全長を予測的に算出するに際し、予め切削した近似的な原木の性状を参照することにより、予め規定した補正値を加減して、現に切削する原木から削成し得る薄単板の全長を予測的に算出して成る請求項１又は請求項２又は請求項３又は請求項４記載の単板切削切断処理工程に於ける単板の剥き厚の切替え方法（請求項５）とを提案する。
【発明の効果】
【０００６】
本発明に係る剥き厚の切替え方法によれば、削成される薄単板の全長が、常に薄定尺単板の定尺長さの整数倍となる。従って、常法通り、厚単板に後続する展開した際の断面が截端楔状の不良単板と薄単板との境界位置を、定尺切断処理の開始位置として、順次定尺切断処理を施せば、薄単板に付随する展開した際の断面が三角状となる不良単板と薄単板との境界位置が、常に定尺切断処理の終了位置となって、余分な端尺薄単板が生成されないから、端尺薄単板の乾燥処理や接合処理は無用であり、総じて後処理が従来に比べて簡略化できると共に、資源の浪費も併せて解消することができる。
【０００７】
尚、前記薄単板全長予測手段の具体例としては、公知の通り、既にベニヤレースの前位に原木の芯出し装置が備えられている実例が多いことから、請求項２に係る発明の如く、原木の芯出し装置の処理信号を活用する手段が至便であるが、その外にも、請求項３に係る発明の如く、ベニヤレースに於て現に切削する原木が、薄単板の削成に適する状態に至ったか否かを、適宜の原木判別手段によって判別すると共に、薄単板の削成に適する状態に至った時点に於ける、ベニヤレースの切削刃の現存位置に基づいて、残余の原木部分から削成し得る薄単板の全長を予測的に算出する手段であっても差支えない。また、前記原木判別手段としては、請求項４に係る発明の如く、従前と同様にベニヤレースの運転者による目視が簡便ではあるが、必ずしも限定するものではなく、要はベニヤレースに於て現に切削する原木が、薄単板の削成に適する状態に至ったか否かを判別し得る手段であれば足り、例えば後述する如く、原木判別用の機器類を別途に備えると共に、機器類からの信号を情報処理して判別する手段であっても差支えない。
【０００８】
また、原木は天然資源である故に、厳密には一本毎に性状が異なり、更に一本の原木であっても、例えば芯の近辺と外周の近辺の如く、局部的に性状が異なる実例も多く、結果的に、たとえ同じ太さの原木であっても、性状の違いなどに起因して、削成される単板の全長が単なる誤差以上に異なることがあり得る。従って、原木から削成し得る薄単板の全長を予測的に算出するに際しては、請求項５に係る発明の如く、予め切削した近似的な原木の性状を参照することにより、予め規定した補正値（零を含む）を加減して、現に切削する原木から削成し得る薄単板の全長を予測的に算出するのが好ましい。
【発明を実施するための最良の形態】
【０００９】
以下、本発明を図面に例示した実施の一例と共に更に詳述するが、便宜上、既に説明した単板類、機器類、部材類等については、同一の符号を付して、重複する詳細な説明を省略する。但し、図面に例示した機器類、部材類は、代表的な例を挙げたものであって、特に型式を限定したものではなく、要は所望の機能を奏し得る機器類、部材類であれば、支障なく本発明の実施に適用することが可能であるので、それら機器類、部材類の変更例については、後に改めて言及する。
【実施例】
【００１０】
本発明に係る単板の定尺切断方法は、図１・図２に例示する如く、ベニヤレース１と定尺切断装置２とを連結コンベヤ３を介して連結し、ベニヤレース１によって原木５から削成する厚薄二種の単板６Ａ・６Ｂの内で、厚単板６Ａの後に削成される薄単板６Ｂについては、前記定尺切断装置２を用いて、所定長さｈ毎に順次定尺切断することにより、薄定尺単板６ｂを順次形成する単板切削切断処理工程に於て、剥き厚を厚剥きから薄剥きへ連続的に切替えるに際し、適宜の薄単板全長予測手段を用いて、剥き厚を切替えて以降、該原木５を規定の剥芯径まで薄剥きした場合に削成し得る薄単板６Ｂの全長（Ｗｘ）を予測的に算出すると共に、図３に例示する如く、薄単板の後位に付随する展開した際の断面が三角状となる不良単板６ｃと薄単板６ｂとの境界位置ｋからの距離Ｌが、前記予測的に算出した薄単板の全長Ｗｘの範囲内であって、且つ、薄定尺単板６ｂの定尺長さｈの整数倍となる特定箇所Ｐを算定し、厚剥きから薄剥きへの切替えが該特定箇所Ｐに於て終わるように、換言すると、該特定箇所Ｐが剥き厚の切替え終了位置となるように、剥き厚の切替え開始位置Ｖを定めて、剥き厚の切替えを開始するものである。
因に、剥き厚の切替えには、原木一回転分の長さが必要であるから、前記剥き厚の切替え開始位置Ｖは、算定した特定箇所（剥き厚の切替え終了位置）Ｐの原木一回転分だけ前位に定めれば足りる。図中、Ｕｘは、予測的に算出された薄単板を最も長く削成し得る剥き厚の切替え終了位置であり、Ｙｘは、予測的に算出された薄単板を最も長く削成し得る剥き厚の切替え開始位置である。
斯様な長さの関係を数式化して表すと
Ｌ＝ｈ×ｎ≦Ｗｘとなる（但し、ｎは正の整数）。
【００１１】
述上の如き剥き厚の切替え方法によれば、削成される薄単板６Ｂの全長が、常に薄定尺単板６ｂの定尺長さｈの整数倍となる。従って、常法通り、厚単板６Ａに後続する展開した際の断面が截端楔状の不良単板６ａと薄単板６Ｂとの境界位置（本発明に於ける特定箇所）Ｐを、定尺切断処理の開始位置として、順次定尺切断処理を施せば、薄単板に付随する展開した際の断面が三角状の不良単板６ｃと薄単板６Ｂとの境界位置ｋが、常に定尺切断処理の終了位置となって、余分な端尺薄単板が生成されないから、端尺薄単板の乾燥処理や接合処理は無用であり、総じて後処理が従来に比べて簡略化できると共に、資源の浪費も併せて解消することができる。
【００１２】
次に、斯様な剥き厚の切替え方法に用いる薄単板全長予測手段について詳述すると、先ずベニヤレースの前位に備えた原木の芯出し装置の検知信号を活用する薄単板全長予測手段が挙げられる。即ち、公知の原木の芯出し装置（図示省略）に於ては、通常、図４に例示する如く、原木５Ａの外周形状に応じて、原木の最大内接円柱５ａが求められ、該最大内接円柱５ａの中心軸Ｑが、ベニヤレース１に於ける原木５Ａの回転中心軸（Ｑ１）に定められる。そこで、最大内接円柱５ａの部分から剥き厚の切替えを開始して差支えないが、公知の如く、切削刃による原木の切削軌跡５ｂは、図示する如き渦巻状となるから、前記最大内接円柱５ａの全ての部分から薄単板６Ｂが削成し得るわけではなく、厚さＴ１を有する厚単板６Ａと厚さＴ２を有する薄単板６Ｂとの間に削成される、展開した際の断面が截端楔状の不良単板６ａとなる部分の一部、つまり、前記最大内接円柱５ａと切削刃による原木の切削軌跡５ｂとの、原木５Ａの一回転分に相当する断面積の差異の面積は、薄単板６Ｂが取得できない部分として除外する必要がある。
【００１３】
而して、前記断面積の差異の面積は、展開した際の断面が、前記最大内接円柱５ａの円周π×Ｄ１を底辺とし、薄単板の厚さＴ２を高さとする、直角三角形と仮定することにより、また薄単板に付随する不良単板６ｃの断面積は、図５に例示する如く、展開した際の断面が、剥芯５ｃの円周π×Ｄ２を底辺とし、薄単板の厚さＴ２を高さとする、直角三角形と仮定することにより、夫々近似的に算出することができるので、最終的には、前記最大内接円柱５ａの断面積Ｓ１から、前記剥芯５ｃの断面積Ｓ２と、前記断面積の差異の面積Ｓ３と、前記薄単板に付随する不良単板６ｃの断面積Ｓ４とを全て差し引き、残余の面積を薄単板の厚さＴ２で除すれば、剥き厚を切替えて以降に削成し得る薄単板６Ｂの全長Ｗｘを予測的に算出することができる。
斯様な関係を数式化して表すと、
Ｗｘ≒（Ｓ１−Ｓ２−Ｓ３−Ｓ４）÷Ｔ２
Ｓ１＝π×Ｒ１×Ｒ１
Ｓ２＝π×Ｒ２×Ｒ２
Ｓ３＝π×Ｄ１×Ｔ２÷２
Ｓ４＝π×Ｄ２×Ｔ２÷２
（但し、Ｒ１＝最大内接円柱の半径、Ｒ２＝剥芯の半径、Ｄ１＝最大内接円柱の直径、Ｄ２＝剥芯の直径、Ｔ２＝薄単板の厚さ）となる。
【００１４】
因に、述上の如き単板全長予測手段を用いて、薄単板の全長Ｗｘを予測的に算出する場合に於ては、切削刃１ｂによる各原木の切削が、各原木に於ける最大内接円柱の半径Ｒ１の位置（図３に於ける予測的に算出される剥き厚の切替え終了位置Ｕｘの原木一回転分だけ前位にある剥き厚の切替え開始位置Ｙｘ）に至ったことを、位置検知センサー８による切削刃１ｂの現存位置信号に基づいて判別することができるので、先記数式に基づいて算定される特定箇所（剥き厚の切替え終了位置）Ｐの原木一回転分だけ前位に定める、剥き厚の切替え開始位置Ｖの位置に切削が至る時間だけ、剥き厚の切替え時期を遅らせた後に（但し、Ｌ＝Ｗｘの場合に限っては、遅延時間が零）、剥き厚の切替えを開始すれば足りる。また、相応の機能を奏する制御機構を併設すれば、剥き厚の切替えが終了した時点に於ける位置検知センサー８による切削刃１ｂの現存位置信号に基づいて、切削刃１ｂの刃先位置から定尺切断装置２の切断位置に至る搬送工程長さを算出することができると共に、回転センサー７による原木の回転信号に基づいて、前記特定箇所Ｐが、算出した搬送工程長さを経て定尺切断装置２の切断位置に至る時期が算出できるので、該特定箇所Ｐから定尺切断を開始することも支障なく可能である。
【００１５】
次に、別の薄単板全長予測手段としては、例えば図６に例示する如く、原木５Ｂを切削する過程に於て、該原木５Ｂが、薄単板６Ｂの削成に適する状態に至ったか否かを、後述する原木判別手段を含めた、適宜の原木判別手段によって判別すると共に、薄単板６Ｂの削成に適する状態に至った時点に於ける、ベニヤレース１の切削刃１ｂの現存位置に基づいて、残余の原木部分から削成し得る薄単板６Ｂの全長を予測的に算出する薄単板全長予測手段が挙げられる。
【００１６】
この場合も、切削刃１ｂによる原木の切削軌跡５ｂは、図示する如き渦巻状となるから、残余の原木部分からただちに薄単板６Ｂが削成し得るわけではなく、厚さＴ１を有する厚単板６Ａと厚さＴ２を有する薄単板６Ｂとの間に削成される、展開した際の断面が截端楔状の不良単板６ａとなる部分の一部、つまり、原木の回転中心軸Ｑ１を中心として切削刃１ｂの現存位置を通る仮想円５ｄと切削刃１ｂによる原木の切削軌跡５ｂとの、原木５Ｂの一回転分に相当する断面積の差異の面積は、薄単板６Ｂが取得できない部分として除外する必要がある。
【００１７】
而して、前記断面積の差異の面積は、展開した際の断面が、前記仮想円５ｄの円周π×Ｄ３を底辺とし、薄単板の厚さＴ２を高さとする、直角三角形と仮定することによって、近似的に算出することができるので、最終的には、前記仮想円５ｄの断面積Ｓ５から、剥芯５ｃの断面積Ｓ２と、薄単板に付随する不良単板６ｃの断面積Ｓ４と、前記断面積の差異の面積Ｓ６とを全て差し引き、残余の面積を薄単板の厚さＴ２で除すれば、原木５Ｂが薄単板６Ｂの削成に適する状態に至った時点に於て剥き厚を切替えて以降に削成し得る薄単板６Ｂの全長Ｗｘ１を予測的に算出することができる。
斯様な関係を数式化して表すと、
Ｗｘ１≒（Ｓ５−Ｓ２−Ｓ４−Ｓ６）÷Ｔ２
Ｓ２＝π×Ｒ２×Ｒ２
Ｓ４＝π×Ｄ２×Ｔ２÷２
Ｓ５＝π×Ｒ３×Ｒ３
Ｓ６＝π×Ｄ３×Ｔ２÷２
（但し、Ｒ２＝剥芯の半径、Ｒ３＝原木が薄単板の削成に適する状態に至った時点に於ける原木の回転中心軸を中心として切削刃の現存位置を通る仮想円の半径、Ｄ２＝剥芯の直径、Ｄ３＝前記仮想円の直径、Ｔ２＝薄単板の厚さ）となる。
【００１８】
斯様な薄単板全長予測手段の場合は、切削刃１ｂによる切削が、正に図３に於ける予測的に算出される剥き厚の切替え終了位置Ｕｘの原木一回転分だけ前位にある剥き厚の切替え開始位置Ｙｘに至った状態であるので、先記数式に基づいて算定される特定箇所（剥き厚の切替え終了位置）Ｐの原木一回転分だけ前位に定める、剥き厚の切替え開始位置Ｖの位置に切削が至る時間だけ、剥き厚の切替え時期を遅らせた後に（但し、Ｌ＝Ｗｘ１の場合には、遅延時間が零）、剥き厚の切替えを開始すれば足りる。また、先例の場合と同様に、位置検知センサー８による切削刃１ｂの現存位置信号と、回転センサー７による原木の回転信号とに基づいて、前記特定箇所Ｐが、定尺切断装置２の切断位置に至る時期が算出できるので、該特定箇所Ｐから定尺切断を開始することも支障なく可能である。
【００１９】
先記原木判別手段としては、従前と同様のベニヤレースの運転者による目視が簡便ではあるが、必ずしも運転者の目視に限定するものではなく、必要に応じては、図示は省略したが、回転する原木の外周面を検査し得る位置に、ラインセンサー等から成る原木検査機構を配設すると共に、該原木検査機構からの検査信号を、相応の機能を奏する制御機構に発信して、公知の単板画像検査処理に準ずる原木画像検査処理を施すことにより、ベニヤレースに於て現に切削する原木が、薄単板の削成に適する状態に至ったか否かを判別するように構成しても差支えなく、要はベニヤレースに於て現に切削する原木が、薄単板の削成に適する状態に至ったか否かを判別できる原木判別手段であれば足りる。
【００２０】
また、これまでは、薄単板の全長を算出する為の面積計算に関する理解を容易化する便宜上から、薄単板の後位に付随する不良単板は、展開した際の断面が、剥芯の円周を底辺とし単板の厚さを高さとする直角三角形となると仮定して、説明を進めてきたし、現実的にも、ベニヤレースによって原木を規定の剥芯径まで切削した際に、切削刃の原木求芯方向への前進を暫時停止させると共に、剥芯の断面が真円状となるまで、原木の回転を継続（原木一回転分）することによって、展開した際の断面が、前述の如き直角三角形となる不良単板を削成する実例も多いが、本発明に於ける原木の切削態様としては、必ずしも斯様な切削態様に限定するものではなく、必要に応じては、原木を規定の剥芯径まで切削し終えたら、切削刃を速やかに原木遠芯方向へ後退させることによって、展開した際の断面が、前記直角三角形よりも狭い、略三角状の不良単板を削成し、剥芯の断面を非真円状に留める、一段と能率的な切削処理を行うようにしても差支えない。
【００２１】
因に、使用に支障のない薄単板の厚さについて、相応の許容誤差があるのは当然であるから、先記各不良単板の一部についても、使用して差支えない許容範囲部位が含まれていることからして、たとえ予測的に算出した薄単板の全長と実際に削成される薄単板の長さとの間に誤差が生じるなどして、先記特定箇所Ｐと定尺切断の開始位置とが、或は先記境界位置ｋと定尺切断の終点位置とがぴったり一致しないことがあっても、誤差が一定範囲内の僅差であれば、実用的に格別問題は無く、本発明の実施に際しては、斯様な若干の長さの誤差は許容されるものである。
【００２２】
次に、本発明の実施に用いる機器類、部材類の設計変更例について述べると、先記各実施例に於て図示した機器類、部材類は、代表的な例を挙げたものであって、特に型式を限定したものでないことは既述の通りであるが、より具体的に詳述すると、先ずベニヤレースについては、図示したスピンドル駆動式の外に、図示は省略したが、例えば駆動源を具備した外周駆動機構の外周駆動部材を、原木の外周に係合させて備え、原木の駆動に要する動力の少なくとも一部を、前記外周駆動部材から供給するよう構成して成る外周駆動式のベニヤレース、或は例えば切削刃（及び／又は外周駆動部材）と対向する位置等に、適数本のバックアップロールを備えて成る形式のベニヤレース、更には例えば外周駆動式のベニヤレースに於て、適時に原木とスピンドルとの係合を開放して、スピンドルの太さよりも細くまで原木を剥くよう構成した、所謂、スピンドルレス併用式のベニヤレース等々、従来公知のあらゆる形式のベニヤレースが適用の対象となる。
【００２３】
また、定尺切断装置についても、図示したロータリー式の外に、図示は省略したが、例えば上下一対の搬送ロールの出口側へ、刃先を単板搬送方向と逆向きに向けて切断刃を備えると共に、刃先が上下一対の搬送ロールの出口側周面に交互に接するよう、前記切断刃を交互に往復揺動させ、薄定尺単板を一枚づつ交互に異なる搬送路へ分配搬送するよう構成して成る定尺切断装置、或は例えば斜め上方と斜め下方とに往復移動自在に備えた可動刃を、略直角の刃先を有する固定刃に対して交互に斜めに往復移動させて、薄定尺単板を一枚づつ交互に異なる搬送路へ分配搬送するよう構成して成る定尺切断装置、更には例えば上方に往復移動自在に備えた可動刃を、下方に固定的に備えた固定アンビルに対して往復移動させて、単に薄単板の切断のみを行う形式の定尺切断装置等々、従来公知のあらゆる形式の定尺切断装置が適用の対象となる。
【００２４】
更に、ベニヤレースと定尺切断装置とを連結するコンベヤについても、図示した形式の外に、図示は省略したが、例えば往復揺動する振分けコンベヤを適宜位置に併設して、先記厚単板の内で、有効部分を全く有しない屑単板については、定尺切断装置まで搬送する以前に、予め捨て去るよう構成して成る形式のコンベヤ、或は例えば定尺切断装置の前位に於て、厚単板と薄単板とを別々の搬送路に弁別搬送するように構成して成る形式のコンベヤ、更には例えば前記単に薄単板の切断のみを行う形式の定尺切断装置に適応するように、定尺切断時に限って、暫時搬送工程長さを微増させるよう構成して成る形式のコンベヤ等々、従来公知のあらゆる形式のコンベヤが適用の対象となる。
【産業上の利用可能性】
【００２５】
以上明らかな如く、本発明は、この種の単板切削切断処理工程に於て、総じて後処理が従来に比べて簡略化できると共に、資源の浪費も併せて解消することができる、新たな単板の剥き厚の切替え方法を提供するもので、斯界に於ける本発明の実施効果は甚だ大きいものである。
【図面の簡単な説明】
【００２６】
【図１】単板切削切断処理工程の側面概要説明図である。
【図２】単板切削切断処理工程の側面概要説明図である。
【図３】本発明に係る剥き厚の切替え方法にて削成した単板の側面説明図である。
【図４】原木の最大内接円柱と切削軌跡との関係位置を示した側面説明図である。
【図５】薄単板に付随する不良単板と剥芯との関係長さを示した側面説明図である。
【図６】原木の回転中心軸と切削刃との関係位置を示した側面説明図である。
【図７】従来の剥き厚の切替え方法にて削成した単板の側面説明図である。
【図８】一段と古い剥き厚の切替え方法にて削成した単板の側面説明図である。
【符号の説明】
【００２７】
１                      ：ベニヤレース
１ａ                    ：スピンドル
１ｂ                    ：切削刃
２                      ：定尺切断装置
２ａ                    ：アンビルロール
２ｂ                    ：回転式切断刃
３                      ：連結コンベヤ
４ａ                    ：移送コンベヤ
４ｂ                    ：揺動コンベヤ
５、５Ａ、５Ｂ          ：原木
５ａ                    ：原木の最大内接円柱
５ｂ                    ：切削刃による原木の切削軌跡
５ｃ                    ：剥芯
５ｄ                    ：原木の回転中心軸を中心として切削刃の現存位置を通る仮想円
６Ａ                    ：厚単板
６Ｂ                    ：薄単板
６ａ                    ：展開した際の断面が截端楔状の不良単板
６ｂ                    ：薄定尺単板
６ｃ                    ：薄単板に付随する不良単板
６ｄ                    ：所定長さに満たない不定長さを有する端尺単板
６ｅ、６ｆ                ：長大な不良単板
７                      ：回転センサー
８                      ：位置センサー
Ｌ                      ：不良単板と薄単板との境界位置から特定箇所までの距離
Ｐ                      ：特定箇所（本発明に於ける剥き厚の切替え終了位置）
Ｑ                      ：原木の最大内接円柱の中心
Ｑ１                    ：原木の回転中心軸
Ｔ１                    ：厚単板の厚さ
Ｔ２                    ：薄単板の厚さ
Ｖ                      ：本発明に於ける剥き厚の切替え開始位置
Ｗ                    ：従来の剥き厚の切替え方法にて得られる薄単板の全長
Ｗｘ、Ｗｘ１          ：剥き厚を切替えて以降に削成し得る薄単板の全長
ｈ                      ：定尺単板の定尺長さ
ｋ                      ：不良単板と薄単板との境界位置
【図１】
0005049146.tif 000002
【図２】
0005049146.tif 000003
【図３】
0005049146.tif 000004
【図４】
0005049146.tif 000005
【図５】
0005049146.tif 000006
【図６】
0005049146.tif 000007
【図７】
0005049146.tif 000008
【図８】
0005049146.tif 000009